(57)【要約】【課題】所望する箇所に容易に付着させることができるゲル状化洗浄剤を実現する。【解決手段】少なくともポリオキシアルキレンアルキルエーテル及び水を含有し、ポリオキシアルキレンアルキルエーテルの含有量が７２質量％以上９０質量％以下に調整されて液状を呈しているゲル状化洗浄剤は、水と混和することでゲル化するので、液状を呈しているゲル状化洗浄剤を便器の内面に塗布するなどして付着させた後に水を流し、水が掛けられてゲル化した洗浄剤を便器の内面に固着させるようにした。【選択図】図１
2020111699.tif 000002
【特許請求の範囲】
【請求項１】
定期的に水が流される場所に付着する汚れを除去するためのゲル状化洗浄剤であって、
当該ゲル状化洗浄剤は、液状の態様で容器に収納されており、
当該ゲル状化洗浄剤は、所望する箇所に付着された後に水が掛けられてゲル化されて、その付着された箇所に固着されること、または、水が掛けられて湿潤している状態の所望する箇所に付着されてゲル化されて、その付着された箇所に固着されることを特徴とするゲル状化洗浄剤。
【請求項２】
当該ゲル状化洗浄剤は、少なくともポリオキシアルキレンアルキルエーテル及び水を含有し、前記ポリオキシアルキレンアルキルエーテルの含有量が７２質量％以上９０質量％以下に調整されていることを特徴とする請求項１に記載のゲル状化洗浄剤。
【発明の詳細な説明】
【技術分野】
【０００１】
本発明は、ゲル状化洗浄剤に関する。
【背景技術】
【０００２】
従来、トイレの便器等、定期的に水が流される場所に付着する汚れを除去するために、様々な洗浄剤が使用されている。その洗浄剤の一形態として、長時間洗浄効果を発揮させるように、トイレの便器内面等に付着させ、トイレ等の流水によって徐々に解け出す洗浄剤が開発されている。
このような洗浄剤は、押し出し式の収納容器にゲル状の洗浄剤を収納しておき、これをトイレの便器の内面等に付着させて使用するようになっている（例えば、特許文献１，２参照。）。
【先行技術文献】
【特許文献】
【０００３】
【特許文献１】特許第５６９７１２４号公報
【特許文献２】特許第６１４１５０１号公報
【発明の概要】
【発明が解決しようとする課題】
【０００４】
しかしながら、上記特許文献１，２のように、高粘度のゲル状の洗浄剤を収納容器から押し出してトイレの便器の内面に付着させる場合には、ゲル状の洗浄剤を収納容器から押し出す力とその洗浄剤を付着させる面に押し付ける力が必要であるため、ゲル状の洗浄剤を押し付け難い箇所には付着させ難いという問題があった。
また、収納容器を近付けることができない箇所にはゲル状の洗浄剤を付着させることができないという問題があった。
【０００５】
本発明の目的は、所望する箇所に容易に付着させることができるゲル状化洗浄剤を提供することである。
【課題を解決するための手段】
【０００６】
以上の課題を解決するため、請求項１に記載の発明は、
定期的に水が流される場所に付着する汚れを除去するためのゲル状化洗浄剤であって、
当該ゲル状化洗浄剤は、液状の態様で容器に収納されており、
当該ゲル状化洗浄剤は、所望する箇所に付着された後に水が掛けられてゲル化されて、その付着された箇所に固着されるように構成されていること、または、水が掛けられて湿潤している状態の所望する箇所に付着されてゲル化されて、その付着された箇所に固着されるように構成されていることを特徴とする。
このゲル状化洗浄剤であれば、液状のゲル状化洗浄剤を所望する箇所に付着させた後にゲル化させて、その箇所に固着させることができる。
そして、ゲル化して固着された洗浄剤は、水を流すことで界面活性剤成分が徐々に溶け出すようになっており、長時間洗浄効果を発揮することができる。
【０００７】
請求項２に記載の発明は、請求項１に記載のゲル状化洗浄剤において、
当該ゲル状化洗浄剤は、少なくともポリオキシアルキレンアルキルエーテル及び水を含有し、前記ポリオキシアルキレンアルキルエーテルの含有量が７２質量％以上９０質量％以下に調整されていることを特徴とする。
【発明の効果】
【０００８】
本発明によれば、所望する箇所に容易に付着させることができるゲル状化洗浄剤が得られる。
【図面の簡単な説明】
【０００９】
【図１】本実施形態のゲル状化洗浄剤を便器の内面に塗布して固着させる際の説明図である。
【図２】本実施形態のゲル状化洗浄剤を便器の内面に塗布して固着させる際の説明図である。
【発明を実施するための形態】
【００１０】
以下、図面を参照して、本発明に係るゲル状化洗浄剤の実施形態について詳細に説明する。但し、以下に述べる実施形態には、本発明を実施するために技術的に好ましい種々の限定が付されているが、本発明の範囲を以下の実施形態及び図示例に限定するものではない。
ゲル状化洗浄剤は、定期的に水が流される場所（例えばトイレの便器）に付着する汚れを除去するために使用する洗浄剤である。
【００１１】
本実施形態のゲル状化洗浄剤は、液状の態様で容器に収納されており、例えば、トイレの便器の内面に付着させた後にゲル化させ、そのゲル状化した洗浄剤を便器の内面に固着させて使用するタイプの洗浄剤である。
ゲル状化して便器の内面に固着された洗浄剤は、水を流すことで界面活性剤が徐々に溶け出すようになっており、長時間洗浄効果を発揮することができる。
【００１２】
本実施形態のゲル状化洗浄剤は、水と混和することでゲル状化して流動性をなくし、ゲル状化した際に付着している箇所に固着する。
具体的には、ゲル状化洗浄剤をトイレの便器の内面の所望する箇所に付着させた後に水を流し、水が掛けられてゲル状化した洗浄剤がその便器の内面に固着し、便器内面に張り付けられた状態になる。
また、予め水を流し、水が掛けられて湿潤しているトイレの便器の内面の所望する箇所にゲル状化洗浄剤を付着させ、水と混和してゲル状化した洗浄剤がその便器の内面に固着し、便器内面に張り付けられた状態になる。
【００１３】
このゲル状化洗浄剤は、例えば、図１に示すように、スプレー式容器１に収納されており、トイレの便器の内面に向けて噴射するなどして塗布したゲル状化洗浄剤を、便器の内面でゲル状化させて固着させることができる。
また、ゲル状化洗浄剤は、例えば、図２に示すように、ノズル式容器２に収納されており、トイレの便器の内面に塗布したゲル状化洗浄剤を、便器の内面でゲル状化させて固着させることができる。
【００１４】
このように、本実施形態のゲル状化洗浄剤であれば、便器の内面の所望する箇所に容易に付着させて固着させることができる。
例えば、従来技術のような押し出し式容器（スタンプ式容器）に収納されている高粘度のゲル状洗浄剤をトイレの便器の内面に押し付けて付着させる場合、便器の縁の裏面などには付着させ難いことがあった。
これに対し、本実施形態のゲル状化洗浄剤であれば、スプレー式容器１やノズル式容器２によって、液状の態様のゲル状化洗浄剤を所望する箇所に塗布してそのゲル状化洗浄剤をゲル化させればよいので、便器の縁の裏面などにも容易に付着させて固着させることができる。
【００１５】
次に、本実施形態のゲル状化洗浄剤の組成について説明する。
本実施形態のゲル状化洗浄剤は、少なくともポリオキシアルキレンアルキルエーテル及び水を含有しており、ポリオキシアルキレンアルキルエーテルの含有量が７２質量％以上９０質量％以下に調整されている。
また、ゲル状化洗浄剤には、ポリオキシアルキレンアルキルエーテル及び水以外に、シクロデキストリンや香料等が含まれている。
【００１６】
ポリオキシアルキレンアルキルエーテルは、下記の一般式（１）で表される非イオン界面活性剤である。
Ｒ−Ｏ−（ＰＯ）ｍ−（ＥＯ）ｎ−Ｈ  ・・・（１）
式（１）中、Ｒは炭素数８〜１０の直鎖アルキル基であり、ＰＯはオキシプロピレン基、ＥＯはオキシエチレン基を示す。ｍ及びｎは平均付加モル数を示し、ｍは３、ｎは５０である。また、ＰＯとＥＯの付加形態は、ブロック付加である。
【００１７】
ポリオキシアルキレンアルキルエーテルと水の混合物は、表Ｉに示すように、水分量変化により形状変化することを本発明者らは見出した。
【００１８】
【表１】
2020111699.tif 000003
【００１９】
表Ｉに示すように、ポリオキシアルキレンアルキルエーテルの固形分濃度が８０質量％以上９０質量％以下であるとき、ポリオキシアルキレンアルキルエーテルと水の混合物は液状を呈する。
また、ポリオキシアルキレンアルキルエーテルの固形分濃度が９０質量％を超えると、不溶成分が生じる。なお、ポリオキシアルキレンアルキルエーテルの固形分濃度が１００質量％であれば固体である。
また、ポリオキシアルキレンアルキルエーテルの固形分濃度が７０質量％以下であると、ポリオキシアルキレンアルキルエーテルと水の混合物はゲル状を呈する。
なお、ポリオキシアルキレンアルキルエーテルと水を混合する際、ポリオキシアルキレンアルキルエーテルと水の混合物を８０℃で加熱しつつ撹拌し、その混合物が液状になるまで混ぜ続けた。その後、室温（２５℃）まで冷却し、その混合物が液状になるかゲル状になるかを確認した。
【００２０】
この試験結果から、界面活性剤であるポリオキシアルキレンアルキルエーテルを８０質量％以上９０質量％以下に調整し、液状を呈するポリオキシアルキレンアルキルエーテルと水の混合物を対象物に塗布した後に水を掛けることで固形分濃度を下げるようにすれば、その混合物がゲル状に変化し、対象物に張り付くことを本発明者らは見出した。
さらに大量の水を掛けることでゲル状に変化した混合物が徐々に溶け出すことを確認した。
【００２１】
このポリオキシアルキレンアルキルエーテルに対する比較例として、下記の一般式（２）で表されるポリオキシエチレンアルキルエーテルと水の混合物に関し、水分量変化による形状変化について試験した。
ポリオキシエチレンアルキルエーテルと水を混合する際も同様に、ポリオキシエチレンアルキルエーテルと水の混合物を８０℃で加熱しつつ撹拌し、その混合物が液状になるまで混ぜ続けた。その後、室温（２５℃）まで冷却した。
なお、ポリオキシエチレンアルキルエーテルも非イオン界面活性剤である。
Ｒ−Ｏ−（ＥＯ）ｎ−Ｈ  ・・・（２）
式（２）中、Ｒは炭素数８〜１８の直鎖アルキル基であり、ＥＯはオキシエチレン基を示す。ｎは平均付加モル数を示し、ｎは３５である。
【００２２】
その結果、界面活性剤であるポリオキシエチレンアルキルエーテルの固形分濃度を調整しても、ポリオキシエチレンアルキルエーテルと水の混合物は、固体状やゲル状を呈するものの液状にはならないことを確認した。
つまり、このポリオキシエチレンアルキルエーテルは、液状の洗浄剤を所望する箇所に付着させた後に水を掛けてゲル状化させて、ゲル状化した洗浄剤をその箇所に固着させるという洗浄剤の界面活性剤には用いることができないと判断した。
このように、液状を呈する界面活性剤の混合物に水を掛けることで、その混合物をゲル状に変化させて、対象物に張り付かせる洗浄剤の成分に好適に使用できる界面活性剤として、本発明者らはポリオキシアルキレンアルキルエーテルを見出した。
【００２３】
香料は、ゲル状化洗浄剤に芳香作用を付与するために加えられる。
香料としては、特に限定されないが、例えば、シトラス系、ローズ系、フローラル系等の香料を用いることができる。
【００２４】
シクロデキストリンは、ゲル状化洗浄剤の泡立ち性を向上させるために加えられる。
用いるシクロデキストリンの種類は特に限定されず、α−シクロデキストリン、β−シクロデキストリン又はγ−シクロデキストリンのいずれも用いることができる。
具体的には、シクロデキストリンは、発泡を妨げる疎水性の物質を包接し、これを覆うことから、ゲル状化洗浄剤中の香料等の油分による発泡への悪影響を低減させる効果を有する。したがって、ゲル状化洗浄剤にシクロデキストリンを加えることで、ゲル状化洗浄剤が水に溶け出した際の泡立ちを向上させることができる。
これによって、ゲル状化洗浄剤をトイレの便器内面等に付着させて使用する場合において、これが流水によって溶け出した際に泡が生じやすくなることから、使用者は視覚的に洗浄剤の効果が生じているかを確認し易くなる。
また、発泡性が高まることで、洗浄効果も向上させることができる。
【００２５】
また、シクロデキストリンは、香料と共に加えられた場合、香料を包接し、水に触れた際に包接されていた香料が放出されるようにする効果を有する。したがって、香料をシクロデキストリンと共に加えることで、香料が、ゲル状化洗浄剤が水に溶けるまで放出され難くすることができ、ゲル状化洗浄剤の芳香効果の持続性を高めることができる。
このような効果を効率的に生じさせるためには、事前に香料とシクロデキストリンを混合しておき、シクロデキストリンが香料を包接した状態でゲル状化洗浄剤に加えられることが望ましい。
【実施例】
【００２６】
次に、本実施形態のゲル状化洗浄剤の実施例について説明する。
ここでは、表IIに記載のとおりの配合率のゲル状化洗浄剤を用意した。
このゲル状化洗浄剤を調整する際、ポリオキシアルキレンアルキルエーテルと水を含む混合物を８０℃で加熱しつつ撹拌し、その混合物が液状になるまで混ぜ続けた。その後、室温（２５℃）まで冷却した。
【００２７】
【表２】
2020111699.tif 000004
【００２８】
なお、表IIに記載の実施例においては、各成分として具体的には以下のものを用いた。
ポリオキシアルキレンアルキルエーテルとしては、ＰＣ−２４６５（ミヨシ油脂株式会社製）を用いた。
シクロデキストリンとしては、ＣＡＶＡＭＡＸ  Ｗ６  Ｆｏｏｄ（α−シクロデキストリン、株式会社シクロケム製）を用いた。
香料としては、クリーンフローラル（栄香料株式会社製）を用いた。
ＤＰＧ・ＭＩＴ（メチルイソチアゾリノン）・ＩＰＢＣ混合物としては、マイクロケアＭＴＯ（ソ―・ジャパン株式会社製）を用いた。
【００２９】
表IIに示すように、実施例１〜４のゲル状化洗浄剤とも、２５℃での外観は液状を呈している。
このゲル状化洗浄剤をトイレの便器の内面に塗布して付着させた後に水を流すと、ゲル状化した洗浄剤がその便器の内面に固着した。さらに水を流した際、好適に泡立つことを確認した。
また、予め水を流し、水が掛けられて湿潤しているトイレの便器の内面に、このゲル状化洗浄剤を付着させると、ゲル状化した洗浄剤がその便器の内面に固着した。さらに水を流した際、好適に泡立つことを確認した。
【００３０】
これに対し、比較例１〜３の処方の洗浄剤は、２５℃での外観は液状を呈しない（固体状あるいは一部がゲル化している液状体である）ので、液状の態様で塗布した後にゲル状化させるというゲル状化洗浄剤として用いることはできないものであった。
【００３１】
また、表IIIに記載のとおりの配合率のゲル状化洗浄剤も用意した。ここでは、ポリオキシエチレンラウリルエーテル硫酸エステルナトリウムを配合した場合について検証した。
ポリオキシエチレンラウリルエーテル硫酸エステルナトリウムとしては、ハイテノール２２７Ｌ（第一工業製薬株式会社製）を用いた。
このゲル状化洗浄剤を調整する際にも、ポリオキシアルキレンアルキルエーテルと水を含む混合物を８０℃で加熱しつつ撹拌し、その混合物が液状になるまで混ぜ続けた。その後、室温（２５℃）まで冷却した。
【００３２】
【表３】
2020111699.tif 000005
【００３３】
表IIIに示すように、実施例５，６のゲル状化洗浄剤も、２５℃での外観は液状を呈しており、液状の態様で塗布した後にゲル状化させて便器の内面に固着させることができ、さらに水を流した際に好適に泡立つことを確認した。
一方、比較例４，５の処方の洗浄剤は、２５℃での外観は液状を呈しないので、液状の態様で塗布した後にゲル状化させるというゲル状化洗浄剤として用いることはできないものであった。
【００３４】
以上のように、少なくともポリオキシアルキレンアルキルエーテル及び水を含有し、ポリオキシアルキレンアルキルエーテルの含有量が７２質量％以上９０質量％以下に調整されている本実施形態のゲル状化洗浄剤であれば、トイレの便器の内面などの所望する箇所に容易に付着させて固着させることができる。
そして、ゲル化して固着された洗浄剤は、水を流すことで界面活性剤が徐々に溶け出すようになっており、長時間洗浄効果を発揮することができる。
【００３５】
なお、以上の実施の形態においては、トイレの便器の内面にゲル状化洗浄剤をゲル化して固着させる態様について説明したが、本発明はこれに限定されるものではない。
このゲル状化洗浄剤は、陶器、アクリル樹脂、ステンレス、ホーローなどに対して好適に固着させることができるので、トイレの便器の他、例えば、キッチンシンクや、風呂の洗い場の床面や壁面などにゲル状化洗浄剤をゲル化して固着させて使用することができる。
【００３６】
また、以上の実施の形態においては、ゲル状化洗浄剤を液状の態様で収納する容器は、スプレー式容器１やノズル式容器２を例に説明したが、本発明はこれに限定されるものではない。
ゲル状化洗浄剤の容器は、例えば、樹脂製のフィルムによって形成された袋状のものでもよい。また、一回使い切りサイズのポーションカップ容器やポーションチューブ容器などでもよい。
【００３７】
また、本発明の適用は上述した実施形態に限定されることなく、本発明の趣旨を逸脱しない範囲で適宜変更可能である。
【符号の説明】
【００３８】
１      スプレー式容器
２      ノズル式容器
【図１】
2020111699.tif 000006
【図２】
2020111699.tif 000007